(57)【要約】【課題】アーチ効果を有効に利用することで内部支保工を簡素化することが可能なうえに、地山の変形を極力抑えることができる地下構造物の構築方法を提供する。【解決手段】立坑３から地中に向けて管材２を打ち込んで、アーチ部１１とその両端から延設される側壁部１２とを備えたパイプルーフ１を構築する工程と、パイプルーフの下側の地盤を局所的に掘削して角導坑６１と中央導坑６２を構築する工程と、角導坑から側部支持材５１を打ち込むとともに角連結材４１を配置して側部支持材と接合する工程と、中央導坑から中央支持材５２を打ち込みアーチ連結材４２を支持させる工程と、角導坑と中央導坑との間を掘削して新たに配置したアーチ連結材を中間支持材４３で支持させる工程と、角連結材の周囲を剛結部にした後に、パイプルーフの内側の残りの地盤を掘削する工程と、そこに躯体を構築する工程とを備えている。【選択図】図１
2008214955.tif 000002
【特許請求の範囲】
【請求項１】
発進基地から地中に向けて管材を打ち込んで、断面視アーチ状のアーチ部とその両端から延設される側壁部とを備えた複数の前記管材から形成されるパイプルーフを構築する工程と、
前記パイプルーフの前記アーチ部と前記側壁部との角部の内側及びアーチ部の略中央付近の下側の地盤を局所的に掘削して角導坑と中央導坑を構築する工程と、
前記角導坑から前記側壁部に沿って側部支持材を打ち込むとともに、前記角部に前記アーチ部側と前記側壁部側とに跨る角連結材を配置して、その下端と前記側部支持材の上端とを接合する工程と、
前記工程と並行又は前後して前記中央導坑から下方に向けて中央支持材を打ち込み、アーチ部に沿って配置されたアーチ連結材をその中央支持材で支持させる工程と、
前記角導坑と前記中央導坑との間を掘削して中間支持材を下方に向けて打ち込むとともに、アーチ部に沿って配置されたアーチ連結材をその中間支持材で支持させる工程と、
前記角連結材と前記アーチ連結材とが接合によって連続体となるとともに、その角連結材の周囲を剛結部にした後に、前記パイプルーフの内側の残りの地盤を掘削する工程と、
前記パイプルーフの内側に躯体を構築する工程とを備えたことを特徴とする地下構造物の構築方法。
【請求項２】
前記剛結部は、前記角連結材と前記角部の間にコンクリートを充填して一体化させることで形成することを特徴とする請求項１に記載の地下構造物の構築方法。
【請求項３】
前記角導坑で側部支持材の上端と角連結材とを接合した後に、前記角導坑から前記側壁部の外側の地中に向けてグラウンドアンカー又は鉄筋補強材を打ち込み、その頭部を前記側部支持材に固定する工程を備えたことを特徴とする請求項１又は２に記載の地下構造物の構築方法。
【請求項４】
前記発進基地は立坑であって、前記パイプルーフの内側の地盤の掘削に合わせて掘削を進行させることを特徴とする請求項１乃至３のいずれか一項に記載の地下構造物の構築方法。
【請求項５】
前記角連結材と前記アーチ連結材とが接合によって連続体となった後に、前記角連結材間を引張材で連結することを特徴とする請求項１乃至４のいずれか一項に記載の地下構造物の構築方法。
【請求項６】
前記アーチ連結材をトラス構造によって補強することを特徴とする請求項１乃至４のいずれか一項に記載の地下構造物の構築方法。
【請求項７】
発進基地から地中に向けて打ち込まれた複数の管材から形成されるパイプルーフであって、
断面視アーチ状のアーチ部と、その両端からそれぞれ延設される側壁部とを備えるとともに、内側面側がラーメン構造体によって支持されることを特徴とするパイプルーフ。
【発明の詳細な説明】
【技術分野】
【０００１】
本発明は、地盤を掘削して地中にトンネルや地下鉄の駅舎などの地下構造物を構築するための地下構造物の構築方法、及び土留め構造として地中に形成されるパイプルーフに関するものである。
【背景技術】
【０００２】
従来、地盤を掘削して地中に空洞を形成するに際して、地表面の沈下などを抑えるために、複数の鋼管を先行して地中に向けて打ち込んで断面視コ字形のパイプルーフを構築し、そのパイプルーフで保護された内側の地盤を、剛性の高い連続地中壁や支持杭などの支保工によって支持しながら掘削する方法が知られている（特許文献１など参照）。
【０００３】
また、特許文献２には、地山の弱い個所にトンネルを掘削する際に、前方掘削面の崩落を防ぐために、長尺フォアパイリングを掘進方向に向けて放射状に打設して対処する方法が開示されている。
【特許文献１】特許第３５１１１４５号公報
【特許文献２】特許第３８０８９６２号公報
【発明の開示】
【発明が解決しようとする課題】
【０００４】
しかしながら、平板状のパイプルーフを構築した場合、そのパイプルーフに作用する荷重をすべて支保工で支持させなければならなので、支保工が大掛りになって内部掘削の支障になったり、工事費が高くなったりする原因になっていた。
【０００５】
他方、長尺フォアパイリングは、横断方向に間隔を置いて配置されているので、地山のアーチ効果は期待できたとしても、長尺フォアパイリング間は横断方向に断面力を伝達できないので、長尺フォアパイリング自体にはアーチ効果は期待できない。
【０００６】
そこで、本発明は、アーチ効果を有効に利用することで内部支保工を簡素化することが可能なうえに、地山の変形を極力抑えることができる地下構造物の構築方法及びパイプルーフを提供することを目的としている。
【課題を解決するための手段】
【０００７】
前記目的を達成するために、本発明の地下構造物の構築方法は、発進基地から地中に向けて管材を打ち込んで、断面視アーチ状のアーチ部とその両端から延設される側壁部とを備えた複数の前記管材から形成されるパイプルーフを構築する工程と、前記パイプルーフの前記アーチ部と前記側壁部との角部の内側及びアーチ部の略中央付近の下側の地盤を局所的に掘削して角導坑と中央導坑を構築する工程と、前記角導坑から前記側壁部に沿って側部支持材を打ち込むとともに、前記角部に前記アーチ部側と前記側壁部側とに跨る角連結材を配置して、その下端と前記側部支持材の上端とを接合する工程と、前記工程と並行又は前後して前記中央導坑から下方に向けて中央支持材を打ち込み、アーチ部に沿って配置されたアーチ連結材をその中央支持材で支持させる工程と、前記角導坑と前記中央導坑との間を掘削して中間支持材を下方に向けて打ち込むとともに、アーチ部に沿って配置されたアーチ連結材をその中間支持材で支持させる工程と、前記角連結材と前記アーチ連結材とが接合によって連続体となるとともに、その角連結材の周囲を剛結部にした後に、前記パイプルーフの内側の残りの地盤を掘削する工程と、前記パイプルーフの内側に躯体を構築する工程とを備えたことを特徴とする。
【０００８】
ここで、前記剛結部は、前記角連結材と前記角部の間にコンクリートを充填して一体化させることで形成することができる。
【０００９】
また、前記角導坑で側部支持材の上端と角連結材とを接合した後に、前記角導坑から前記側壁部の外側の地中に向けてグラウンドアンカー又は鉄筋補強材を打ち込み、その頭部を前記側部支持材に固定する工程を追加してもよい。
【００１０】
さらに、前記発進基地は立坑であって、前記パイプルーフの内側の地盤の掘削に合わせて掘削を進行させることができる。
【００１１】
また、前記角連結材と前記アーチ連結材とが接合によって連続体となった後に、前記角連結材間を引張材で連結してもよい。
【００１２】
さらに、前記アーチ連結材をトラス構造によって補強することもできる。
【００１３】
また、本発明のパイプルーフは、発進基地から地中に向けて打ち込まれた複数の管材から形成されるパイプルーフであって、断面視アーチ状のアーチ部と、その両端からそれぞれ延設される側壁部とを備えるとともに、内側面側がラーメン構造体によって支持されることを特徴とする。
【発明の効果】
【００１４】
このように構成された本発明の地下構造物の構築方法では、地中に形成されるパイプルーフがアーチ部を備えている。また、複数の管材から形成されるパイプルーフのアーチ部は、角連結材とアーチ連結材とが接合された連続体によって支持されており、その連続体の両端にある角連結材の周囲は剛結部となっているのでアーチ効果を発揮させることができる。
【００１５】
このため、地山のアーチ効果によって作用する土圧を低減できるうえに、連続体のアーチ効果によっても支保工に作用する荷重が低減されるので、パイプルーフを支える支保工を簡素化することができる。
【００１６】
また、パイプルーフ内側の地盤の掘削は、局所的に順次おこなわれ、掘削した個所から支保されていくので、一度に全断面を掘削して応力開放してしまう場合に比べて地山の変形を大幅に抑えることができる。
【００１７】
さらに、角連結材とパイプルーフの角部との間にコンクリートを充填して一体化する方法であれば、容易に剛結部を構築することができる。
【００１８】
また、グラウンドアンカーなどによって側部支持材の移動を拘束することで、アーチ連結材を有する連続体のアーチ効果を高めることができる。
【００１９】
さらに、立坑内部の掘削を、パイプルーフ内部の掘削の進行に合わせておこなうようにすれば、立坑内部に段階的に残された地盤を作業足場や土留めとして利用することができる。
【００２０】
また、角連結材間を引張材で連結することでタイドアーチ構造を形成することで、側部支持材に作用する荷重を低減することができる。
【００２１】
さらに、アーチ連結材の下方にトラス構造を設けることで、アーチ連結材を補強することができる。
【発明を実施するための最良の形態】
【００２２】
以下、本発明の最良の実施の形態について図面を参照して説明する。
【００２３】
図１は、発進基地としての立坑３の内側から、地中に打ち込んだパイプルーフ１の端面を見た図である。この立坑１は、例えば、地山を囲繞する連続地中壁を壁部３１として地中に構築し、その壁部３１の内側を地表から掘削し、露出された壁部３１は地中に打設したグラウンドアンカー３２によって支持させる。
【００２４】
そして、この掘削とグラウンドアンカー３２による支保工の設置とを繰り返し、所望する深さまで掘り下げる。ここで、本実施の形態では、壁部３１の近傍のみを、後述するパイプルーフ１の側壁部１２を打設する底面３ａまで掘り下げ、立坑３の中央は作業面３ｂとして利用するために所定の深さで掘削を留めておく。
【００２５】
また、この立坑３内に残された地盤と壁部３１との間には土留壁３３を設けて切梁などの支保工で支持させる。さらに、立坑３の上部開口は覆工板３４によって塞いでおく。
【００２６】
そして、この作業面３ｂには、図２に示すように、パイプルーフ１を構成する管材２を地中に打ち込むための推進機２１を設置する。管材２は、複数の単位管２ａ，・・・を接続して所望の長さに形成される。
【００２７】
すなわち、立坑３の内部から推進機２１によって単位管２ａを地中に向けて押し出し、単位管２ａ一本分のストロークが終了した後に新たに単位管２ａを推進機２１に装着し、再度押し込むという作業を繰り返すことで、所定の長さの管材２を地中に打ち込むことができる。
【００２８】
なお、本実施の形態では、断面が円形の鋼管などを管材２として使用する場合について説明する。
【００２９】
本実施の形態では、このようにして地中に打ち込まれる管材２を横断方向に連続させることで、図１に示すような断面視略Ｃ字形のパイプルーフ１を形成する。
【００３０】
このパイプルーフ１は、アーチ状のアーチ部１１と、その両端からそれぞれ略真下に延設される側壁部１２，１２とから主に構成される。
【００３１】
このアーチ部１１と側壁部１２，１２は、複数の管材２，・・・の集合体であり、管材２，２同士は横断方向に接触しているが連結されてはいない。このような状態のパイプルーフ１のアーチ部１１を、図４に示す角連結材４１とアーチ連結材４２とを接合した連続体である連結材４で支持させる。
【００３２】
この角連結材４１は、図３に示すように、アーチ部１１と側壁部１２との角部１３の内側に配置されるへ字形の棒状部材である。また、アーチ連結材４２は、アーチ部１１の内周側の曲率と略同じ曲率で成形された円弧状の棒状部材である。
【００３３】
この角連結材４１やアーチ連結材４２は、Ｈ形鋼や山形鋼や鋼管などの鋼材を所望する形状に折り曲げることで製作できる。
【００３４】
また、パイプルーフ１の側壁部１２に沿って側部支持材５１を配置する。本実施の形態では、側壁部１２が鉛直に形成されているので、Ｈ形鋼などからなる側部支持材５１を鉛直下方に向けて地中に打ち込むことで側部支持材５１を配置する。
【００３５】
そして、この側部支持材５１の上端と角連結材４１の下端とを接合することで、アーチ部１１から角連結材４１に作用した荷重は側部支持材５１に伝達される。
【００３６】
一方、アーチ連結材４２は、管材２の延伸方向（図３の紙面直交方向）に延びる受梁５２ａを介して中央支持材５２によって支持される。この中央支持材５２には、中央導坑６２の内部から地中に打ち込まれた支持杭などが使用できる。
【００３７】
また、図４に示すように、アーチ部１１の内側に隙間無く配置されたアーチ連結材４２，・・・と、両側の角連結材４１，４１とによって連続体の連結材４を形成した後に、角連結材４１とパイプルーフ１の角部１３との間を含めてその周囲にコンクリートを充填することで、剛結部としての角剛結部４３を形成する。
【００３８】
この角剛結部４３を設けることによって、連結材４の両端はパイプルーフ１のアーチ部１１の両端に固定されて変形が拘束されるので、アーチ状の連結材４自体がアーチ効果を発揮することができる。
【００３９】
また、角剛結部４３を設けることによって、連結材４とその両側の側部支持材５１，５１とがアーチゲート状の門形ラーメン構造体となり、パイプルーフ１に作用する土圧に対して抵抗することができる。
【００４０】
次に、本実施の形態の地下構造物の構築方法及びその作用について、図１−６を参照しながら説明する。
【００４１】
まず、図１に示すように、壁部３１とグラウンドアンカー３２，・・・とによって土留めをおこないながら地盤を掘削して立坑３を構築する。この際、パイプルーフ１の側壁部１２，１２の打設をおこなう個所では底面３ａまで掘り下げ、それ以外の個所はアーチ部１１の打設をおこないやすいように底面３ａより高い作業面３ｂの位置で掘削を止めておく。
【００４２】
そして、図２に示すように、推進機２１を立坑３の作業面３ｂ上に設置し、推進機２１によって単位管２ａ，・・・を順次、地中に押し出すことで管材２を地中に打ち込む。
【００４３】
この管材２を地中に打ち込む作業は、推進機２１の位置を変えながらおこない、図１に示すようなアーチ状に管材２，・・・が連続したアーチ部１１を形成する。
【００４４】
また、推進機２１を底面３ａ上に降ろして、アーチ部１１と同様にして管材２，・・・を地中に打ち込むことで側壁部１２を形成する。
【００４５】
このようにして断面視略Ｃ字形のパイプルーフ１を構築した後に、図３に示すように、パイプルーフ１のアーチ部１１と側壁部１２との角部１３の内側を、局所的にパイプルーフ１の延伸方向に掘削して、断面視略台形状の角導坑６１を構築する。
【００４６】
また、アーチ部１１の頂点となる略中央付近の地盤も局所的に掘削して、中央導坑６２を構築する。
【００４７】
この角導坑６１と中央導坑６２を掘削した際には、アーチ部１１の下側の地盤が取り除かれて局所的に応力開放されることになるが、角導坑６１と中央導坑６２との間には未掘削の地盤が残されてアーチ部１１が支持されているので、この掘削によって大きな変形が生じることはない。
【００４８】
そして、この角導坑６１には、杭打ち機（図示せず）を搬入し、図３に示すように側部支持材５１を真下に向けてこの杭打ち機によって打ち込む。この側部支持材５１は、下端が側壁部１２の下端より深い位置に到達するまで打設する。また、この側部支持材５１は、角導坑６１の延伸方向に間隔を置いて複数、打設する。
【００４９】
そして、側部支持材５１の上端には、角連結材４１の下端を当接させて両者を溶接などで接合する。この角連結材４１は、アーチ部１１の下面に上面が当接するように張り出して設置されるので、アーチ部１１に作用した土圧は角連結材４１を介して側部支持材５１に伝達される。
【００５０】
また、中央導坑６２においても、杭打ち機を搬入させ、所定の個所で中央支持材５２を真下に向けて地中に打ち込む。この中央支持材５２は、図３に示すように横断方向に複数打設するが、側部支持材５１と同様に中央導坑６２の延伸方向にも間隔を置いて複数打設する。
【００５１】
また、中央導坑６２の上方に露出するアーチ部１１の下面には、円弧状のアーチ連結材４２を配置し、中央導坑６２の延伸方向の中央支持材５２，５２間に架け渡した受梁５２ａを介してアーチ連結材４２を支持させる。
【００５２】
こうして角導坑６１と中央導坑６２とを、角連結材４１とアーチ連結材４２を介して側部支持材５１と中央支持材５２で支持した後に、図４に示すように角導坑６１と中央導坑６２との間の地盤を掘削して一次掘削孔６３を形成する。ここで、図４の２点鎖線は、局所的におこなう掘削区画の境界を示している。
【００５３】
このようにパイプルーフ１内側の地盤の掘削は、局所的に順次おこなわれ、掘削した個所から支保されていくので、一度に全断面を掘削して応力開放してしまう場合に比べて地山の変形を大幅に抑えることができる。
【００５４】
そして、新たに掘削した場所にも杭打ち機を進行させ、中間支持材５３，・・・を中央支持材５２と同様にして打設する。また、この中間支持材５３上にもパイプルーフ１の延伸方向に向けて受梁５３ａを架け渡し、角連結材４１とアーチ連結材４２との間に新たに設置したアーチ連結材４２を下方から支持させる。
【００５５】
そして、新たに設置したアーチ連結材４２の両端を、先に設置した角連結材４１の上端と、アーチ部１１の中央側に設置したアーチ連結材４２の一端とにそれぞれ溶接などによって接合し、連続体としての連結材４を完成させる。
【００５６】
また、角導坑６１から側壁部１２の外側の地中に向けて斜めにグラウンドアンカー５１ａを打ち込み、その頭部５１ｂを側部支持材５１に固定して支保させる。
【００５７】
さらに、角連結材４１の周囲とパイプルーフ１の角部１３との間にコンクリートを打設することで、連結材４の端部の移動と角回転を制限する角剛結部４３が構築される。
【００５８】
すなわちこの角剛結部４３，４３は、角連結材４１と角部１３とをコンクリートによって一体化するものであるため、アーチ部１１の両端に連結材４の両端を固定する機能を有する。
【００５９】
また、このように角剛結部４３を形成すると、連結材４とその両側の側部支持材５１，５１とによってラーメン構造体が形成されて、その剛性の高い構造によってパイプルーフ１に作用する荷重に抵抗できるようになるので、中央支持材５２や中間支持材５３などの支保工の負担をより低減することができる。
【００６０】
また、このようにラーメン構造体となるとアーチ部１１に作用した土圧などの荷重が、その両側の側部支持材５１，５１に伝達され易くなる。
【００６１】
これに対しては、通常は地盤の支持力や側部支持材５１を固定するグラウンドアンカー５１ａによる支持によって抵抗できるが、側部支持材５１の支持地盤が軟弱で支持力が小さい場合は沈下するおそれもある。
【００６２】
そこで、側部支持材５１の支持力が小さい場合は、連結材４の両端の角連結材４１，４１間をＰＣ鋼線などの引張材４４で連結することでタイドアーチ構造を形成し、側部支持材５１に作用する荷重を低減することもできる。
【００６３】
このように構成されたパイプルーフ１は、地山のアーチ効果によって作用する土圧が低減されるうえに、連結材４のアーチ効果と、連結材４と側部支持材５１，５１とによって形成されるラーメン構造体によって荷重が分担されるので、支保工に作用する荷重が低減されて、少ない支保工によってパイプルーフ１を支持させることができる。
【００６４】
そして図５に示すように、上記したラーメン構造体と、中央支持材５２及び中間支持材５３の支保工とで連結材４を支持させた状態で、残りの地盤を掘削する。この際、立坑３の内部に残された地盤も併せて掘削する。
【００６５】
すなわち、立坑３内部の掘削をパイプルーフ１内部の掘削の進行に合わせておこなうようにすれば、立坑３内部に残された地盤を作業足場や土留めとして逐次利用することができる。
【００６６】
また、この掘削に際しては、掘削の進行に伴ってグラウンドアンカー５１ａを打設して側部支持材５１を支保させる。このようにグラウンドアンカー５１ａなどによって側部支持材５１の移動を拘束することで、連結材４のアーチ効果を高めることができる。
【００６７】
以上のようにして形成された地下空洞１０ａにおいては、掘削底面１０ｃを砕石や均しコンクリートで整え、図６に示すように、鉄筋コンクリートなどで中空の地下構造物１０の躯体を構築し、地下鉄の駅部１０ｂなどとして利用する。
【００６８】
この地下構造物１０が完成すれば、その躯体となる壁や天井などの耐力によって土圧に抵抗することができるので、グラウンドアンカー５１ａや各支持材５１，５２，５３は撤去し、不要な空洞があれば埋め戻す。
【００６９】
このように構成された本実施の形態の地下構造物１０の構築方法であれば、地表面の沈下が厳しく規制される都市部の軟弱層地盤においても、過大な支保工を設けることなく、地山の変形を極力抑えて地下構造物１０を構築することができる。
【実施例】
【００７０】
以下、この実施例では、前記した実施の形態とは別の実施の形態について、図７を参照しながら説明する。なお、前記実施の形態で説明した内容と同一乃至均等な部分の説明については同一符号を付して説明する。
【００７１】
この実施例では、アーチ部１１の下側を連結材４だけでなく、トラス構造としてのトラス部７によって支持させる構造について説明する。
【００７２】
すなわち、この実施例においても、前記実施の形態と同様に、アーチ状の連結材４は側部支持材５１、中央支持材５２及び中間支持材５３によって支持される。
【００７３】
しかし、連結材４の剛性が充分でない場合は、アーチ部１１を介して作用した土圧によって連結材４が変形し、アーチ部１１上方の地盤の変形を充分に抑えることができない場合もある。
【００７４】
そこで、この実施例では、連結材４をトラス部７によって補強することで変形を抑えることとする。
【００７５】
このトラス部７は、アーチ部１１の頂点の下方に配置する中央トラス７１と、その両側に配置される側部トラス７２，７２とによって主に構成される。
【００７６】
そして、中央トラス７１と側部トラス７２，７２は、別々に導坑内に搬入され、導坑内で連結板や連結ボルトを介して一体化される。また、トラス部７のアーチ部材は連結材４に固定される。
【００７７】
このように連結材４の下方にトラス部７を設けることで、連結材４を補強することができる。
【００７８】
そして、連結材４が補強されることによって、アーチ部１１の上方から大きな土圧が作用しても地山の変形を極力抑えることができる。
【００７９】
なお、他の構成及び作用効果については、前記実施の形態と略同様であるので説明を省略する。
【００８０】
以上、図面を参照して、本発明の最良の実施の形態及び実施例を詳述してきたが、具体的な構成は、この実施の形態及び実施例に限らず、本発明の要旨を逸脱しない程度の設計的変更は、本発明に含まれる。
【００８１】
例えば、前記実施の形態では、発進基地として立坑３を設ける場合について説明したが、これに限定されるものではなく、開削された地盤やトンネルの坑口に面する場所を発進基地としてもよい。
【００８２】
また、前記実施の形態では、角連結材４１と角部１３の内側との間にコンクリートを充填することによって角剛結部４３を構築したが、これに限定されるものではなく、剛性の高い角連結材を使用し、角連結材とアーチ部１１の端部とをボルトや溶接によって接合して剛結部を構成してもよい。
【００８３】
さらに、前記実施の形態では、地下空洞１０ａの内部に鉄筋コンクリートによって躯体を構築したが、これに限定されるものではなく、例えばパイプルーフ１の内側からコンクリートを吹き付けることによって構築される覆工を躯体としてもよい。また、地下構造物１０の躯体断面は、アーチ部１１の内側面に沿った形状に限定されるものではなく、断面視矩形などとしてパイプルーフ１との間の空洞を埋め戻してもよい。
【００８４】
また、前記実施の形態では、側部支持材５１、中央支持材５２及び中間支持材５３を支持杭で構成したが、これに限定されるものではなく、連続地中壁などによって支持材を構成してもよい。
【００８５】
さらに、前記実施の形態では、断面が円形の鋼管を管材２として使用する場合について説明したが、これに限定されるものではなく、断面が四角形や台形などの角型鋼管などであっても管材として使用できる。例えば、断面視台形の管材を並べることによってアーチ部を形成すると、管材の横方向の接触面積が充分確保できて断面力が横方向に伝達されるようになるので、アーチ部自体にアーチ効果を発揮させて、より支保工の負担を減らすことができる。
【００８６】
また、前記実施の形態では、角導坑６１と中央導坑６２との間を一度に掘削したが、これに限定されるものではなく、掘削断面の横幅が大きい場合や地盤の強度が低い場合は局所的な掘削の分割数を増やすことで変形を抑えることができる。
【００８７】
さらに、前記実施の形態では、アーチ部１１の端部から垂下する側壁部１２を形成する場合について説明したが、これに限定されるものではなく、アーチ部１１の端部から外側に広がるように斜めに傾いた側壁部を形成することもできる。
【００８８】
また、前記実施の形態では、角連結材４１としてへ字形の棒状部材を使用する場合について説明したが、これに限定されるものではなく、三角トラス状の部材や断面視へ字形の板材などを角連結材として使用することもできる。
【００８９】
さらに、前記実施の形態では、グラウンドアンカー５１ａによって側部支持材５１を支保したが、これに限定されるものではなく、鉄筋補強材を打設してその頭部を側部支持材５１に固定することによって支保させてもよい。
【図面の簡単な説明】
【００９０】
【図１】本発明の最良の実施の形態の地下構造物の構築方法において構築するパイプルーフの構成を説明する断面図である。
【図２】パイプルーフを地中に打ち込む作業を説明する説明図である。
【図３】角導坑と中央導坑を構築する工程を説明する説明図である。
【図４】連結材と側部支持材とによってラーメン構造体を構築する工程を説明する説明図である。
【図５】地下空洞を構築する工程を説明する説明図である。
【図６】地下構造物を構築する工程を説明する説明図である。
【図７】実施例のトラス部を備えた連結材の構成を説明する説明図である。
【符号の説明】
【００９１】
１              パイプルーフ
１１            アーチ部
１２            側壁部
１３            角部
２              管材
３              立坑（発進基地）
４              連結材（連続体）
４１            角連結材
４２            アーチ連結材
４３            角剛結部（剛結部）
５１            側部支持材
５１ａ          グラウンドアンカー
５１ｂ          頭部
５２            中央支持材
５３            中間支持材
６１            角導坑
６２            中央導坑
【図１】
2008214955.tif 000003
【図２】
2008214955.tif 000004
【図３】
2008214955.tif 000005
【図４】
2008214955.tif 000006
【図５】
2008214955.tif 000007
【図６】
2008214955.tif 000008
【図７】
2008214955.tif 000009